(57)【要約】      （修正有）【課題】容積が変更可能で、保管時にコンパクトに分解でき、かつ、部品種が比較的少ないコンテナを提供する。【解決手段】コンテナ１は、底壁２を形成する第一パネル部材１０と、複数の側壁３，４を形成する複数の第二パネル部材１１とを備える。第一パネル部材１０は、複数の第一係合部を含み、各第二パネル部材１１は、複数の第一係合部の一つと係合および係合解除可能な少なくとも一つの第二係合部と、他の第二パネル部材の第二係合部と係合および係合解除可能な少なくとも一つの第三係合部１１６と、を含む。複数の第一係合部と第二係合部との係合によって、第一パネル部材１０に各第二パネル部材１１が固定される。第二係合部と第三係合部１１６との係合によって、第二パネル部材１１同士が上下に連結される。【選択図】図１
2017119539.tif 000002
【特許請求の範囲】
【請求項１】
底壁と、複数の側壁と、を有するコンテナであって、
前記底壁を形成する第一パネル部材と、
前記複数の側壁を形成する複数の第二パネル部材と、を備え、
前記第一パネル部材は、複数の第一係合部を含み、
各第二パネル部材は、
前記複数の第一係合部の一つと係合および係合解除可能な少なくとも一つの第二係合部と、
他の前記第二パネル部材の前記第二係合部と係合および係合解除可能な少なくとも一つの第三係合部と、を含み、
前記複数の第一係合部と前記第二係合部との係合によって、前記第一パネル部材に各第二パネル部材が固定可能であり、
前記第二係合部と前記第三係合部との係合によって、前記第二パネル部材同士が上下に連結可能である、
ことを特徴とするコンテナ。
【請求項２】
請求項１に記載のコンテナであって、
前記第一パネル部材の上面は、
前記第一パネル部材に固定される前記第二パネル部材の下端面が当接する周縁部と、
前記周縁部の内周縁に形成され、前記第二パネル部材の内側の側面に当接する壁部と、を含む、
ことを特徴とするコンテナ。
【請求項３】
請求項２に記載のコンテナであって、
前記第一パネル部材の前記上面は、前記コンテナの内部空間の底面を形成する底面形成領域を更に含み、
前記周縁部は、前記底面形成領域を囲み、
前記壁部は、前記底面形成領域を囲むように前記周縁部と前記底面形成領域との境界に形成された無端の凸部である、
ことを特徴とするコンテナ。
【請求項４】
請求項１に記載のコンテナであって、
各第二パネル部材は、
少なくとも一つの第四係合部と、
少なくとも一つの第五係合部と、を含み、
前記第四係合部と前記第五係合部との係合によって、左右に隣接する前記第二パネル部材同士が互いに交差するように固定される、
ことを特徴とするコンテナ。
【請求項５】
請求項１に記載のコンテナであって、
左右に隣接する前記第二パネル部材と係合し、これらを互いに交差するように固定する係合部材を更に備える、
ことを特徴とするコンテナ。
【請求項６】
請求項５に記載のコンテナであって、
前記第二パネル部材の上面は、前記係合部材が装着される凹部を含む、
ことを特徴とするコンテナ。
【請求項７】
請求項１に記載のコンテナであって、
前記第一係合部は前記第一パネル部材の上面に形成され、
前記第二係合部は前記第二パネル部材の下端面に形成され、
前記第三係合部は前記第二パネル部材の上端面に形成される、
ことを特徴とするコンテナ。
【請求項８】
請求項４に記載のコンテナであって、
前記第四係合部は前記第二パネル部材の左右方向で一端側の端面に形成され、
前記第五係合部は前記第二パネル部材の左右方向で他端側の側面に形成される、
ことを特徴とするコンテナ。
【請求項９】
請求項８に記載のコンテナであって、
前記第二パネル部材は、
前記一端側の前記端面に形成された第一位置決め部と、
前記他端側の前記側面に形成され、前記第一位置決め部と係合する第二位置決め部と、を含む、
ことを特徴とするコンテナ。
【請求項１０】
請求項１に記載のコンテナであって、
前記第二係合部は、前記第二パネル部材の下端面から突出したフック形状の爪であり、
前記第一係合部および前記第三係合部は、前記爪が挿入される開口である、
ことを特徴とするコンテナ。
【発明の詳細な説明】
【技術分野】
【０００１】
本発明は各種の物品、部品、材料等を輸送、運搬、保管するために使用されるコンテナに関する。
【背景技術】
【０００２】
各種の物品、部品、材料等を輸送、運搬、保管するためのコンテナとして、容積を変更可能な組み立て式のコンテナが提案されている。例えば、特許文献１には、本体容器に対して環状の枠体を装着することにより、容積を増加可能なコンテナが開示されている。このコンテナは、使用しないときには本体容器と枠体を分離し、更に、枠体を分解して保管することができる。
【先行技術文献】
【特許文献】
【０００３】
【特許文献１】実開昭６２−０８２９４１号公報
【発明の概要】
【発明が解決しようとする課題】
【０００４】
特許文献１に記載のコンテナの本体容器は箱型であるため、保管に際して、より広いスペースを必要とする。保管スペースを削減するために、コンテナをより細かく分解可能な構造とした場合、部品種が増大する場合がある。
【０００５】
本発明は、容積が変更可能で、保管時にコンパクトに分解でき、かつ、部品種が比較的少ないコンテナを提供するものである。
【課題を解決するための手段】
【０００６】
本発明によれば、
底壁と、複数の側壁と、を有するコンテナであって、
前記底壁を形成する第一パネル部材と、
前記複数の側壁を形成する複数の第二パネル部材と、を備え、
前記第一パネル部材は、複数の第一係合部を含み、
各第二パネル部材は、
前記複数の第一係合部の一つと係合および係合解除可能な少なくとも一つの第二係合部と、
他の前記第二パネル部材の前記第二係合部と係合および係合解除可能な少なくとも一つの第三係合部と、を含み、
前記複数の第一係合部と前記第二係合部との係合によって、前記第一パネル部材に各第二パネル部材が固定可能であり、
前記第二係合部と前記第三係合部との係合によって、前記第二パネル部材同士が上下に連結可能である、
ことを特徴とするコンテナが提供される。
【発明の効果】
【０００７】
本発明によれば、容積が変更可能で、保管時にコンパクトに分解でき、かつ、部品種が比較的少ないコンテナを提供することができる。
【図面の簡単な説明】
【０００８】
【図１】本発明の一実施形態に係るコンテナの斜視図。
【図２】底壁のパネル部材の斜視図および部分拡大図。
【図３】側壁のパネル部材の斜視図。
【図４】側壁のパネル部材の説明図。
【図５】側壁のパネル部材の斜視図および部分拡大図。
【図６】左右に隣接するパネル部材の連結構造を示す説明図。
【図７】底壁のパネル部材および側壁のパネル部材の係合状態における断面図、および、部分拡大図。
【図８】コンテナの隅部の説明図。
【図９】係合部材の斜視図。
【図１０】図１のコンテナの他の組立態様を示す斜視図。
【発明を実施するための形態】
【０００９】
図１は本発明の一実施形態に係るコンテナ１の斜視図である。コンテナ１は、底壁２と、複数の側壁３および４とを備え、その天部が開放した方形の箱型をなしている。一対の側壁３は、互いに対向して短辺側の側壁を構成し、一対の側壁４は互いに対向して長辺側の側壁を構成している。なお、本実施形態のコンテナ１は平面視で長方形であるが、正方形でもよく、また、三角形や五角形あるいは六角形等、他の形状であってもよい。
【００１０】
以下の説明において、上下方向とはコンテナ１の深さ方向を意味し、本実施形態では底壁２の法線方向である。左右方向とは上下方向と交差する方向を意味し、本実施形態では上下方向と直交する方向である。
【００１１】
コンテナ１は、組み立て式のコンテナであり、互いに分解可能に組み立てられる、パネル部材１０と複数のパネル部材１１とを含む。パネル部材１０は底壁２を形成する。複数のパネル部材１１は複数の側壁３および４を形成する。短辺側の側壁３を構成するパネル部材１１と、長辺側の側壁４を構成するパネル部材１１とでは、その全長（左右方向の長さ）が異なるものの、その余においては実質的に同じ構成である。
【００１２】
なお、本実施形態では底壁２は一つのパネル部材１０で形成されるが、複数のパネル部材を左右方向に連結して底壁２が形成される構造であってもよい。同様に、本実施形態の場合、一つの側壁３は一つのパネル部材１１で形成され、一つの側壁４は一つのパネル部材１１で形成されるが、複数のパネル部材を左右方向に連結して側壁３や側壁４が形成される構造であってもよい。しかし、本実施形態のように、底壁２および各側壁３および４を、それぞれ一枚のパネル部材で形成することで部品種を削減することができる。
【００１３】
図２を参照してパネル部材１０について説明する。パネル部材１０は全体として板状をなしており、その上面は、領域１０１と、周縁部１０２と、壁部１０４とを含む。パネル部材１０は例えばプラスチックなどの樹脂により一体的に単一部品として形成することができる。
【００１４】
領域１０１はコンテナ１の内部空間の底面を形成する底面形成領域であり、本実施形態では方形である。周縁部１０２はパネル部材１０に固定されるパネル部材１１の下端面が当接する方形枠状の領域である。
【００１５】
周縁部１０２には複数の係合部１０３が形成されている。本実施形態の場合、係合部１０３は周縁部１０２を貫通する方形の開口である。本実施形態の場合、係合部１０３は穴であるが、切欠き状の開口であってもよい。係合部１０３は、短辺側の各側壁３の下方となる位置に、それぞれ四個、合計で八個形成されており、長辺側の各側壁４の下方となる位置に、それぞれ五個、合計で十個形成されている。このように本実施形態では、側壁ごとに複数の係合部１０３を周縁部１０２の長手方向に沿って形成しているが、側壁ごとに少なくとも一つの係合部１０３を形成すればよい。
【００１６】
壁部１０４は、周縁部１０２の内周縁に形成されおり、パネル部材１１の内側の側面が当接する壁面を構成する。本実施形態の場合、壁部１０４は、領域１０１を囲むように周縁部１０２と領域１０２との境界に形成された無端の凸部であり、平面視で方形の枠形状をなしている。壁部１０４の外側の壁面がパネル部材１１の内側の側面と当接することになる。なお、本実施形態では、壁部１０４を凸部として形成したが、パネル部材１１の内側の側面と当接する壁面を形成できれば、どのような構造であってもよい。例えば、領域１０１を周縁部１０２よりも高い位置に形成し、領域１０１と周縁部１０２との段差によって、壁部（壁面）を形成してもよい。また、壁部１０４は無端ではなく、途中で途切れていてもよく、更に、複数個所にスポット的に形成されていてもよい。
【００１７】
図３〜図６を参照してパネル部材１１の構成について説明する。図３及び図４は側壁４を形成する長辺側のパネル部材１１の斜視図と説明図である。図５は側壁３を形成する短辺側のパネル部材１１の斜視図と部分拡大図である。図６は側壁３を形成する短辺側のパネル部材１１と側壁４を形成する長辺側のパネル部材１１との左右方向の連結構造を示す説明図である。
【００１８】
パネル部材１１は全体として板状をなしており、側部を形成する側板部１１０と、上部を形成する上板部１１１と、下部を形成する下板部１１２と、左右の端部を形成する端板部１１３および１１４と、を含む。
【００１９】
側板部１１０はパネル部材１１の側面を形成するとともに、コンテナ１の内部空間の側面を形成する。上板部１１１、下板部１１２および左右の端板部１１３および１１４は、側板部１１０に対して直交して外側に延びている。上板部１１１の上面はパネル部材１１の上端面を形成し、下板部１１２の下面はパネル部材１１の下端面を形成する。また、端板部１１３はパネル部材１１の左右方向で一端側の端面を形成し、端板部１１４はパネル部材１１の左右方向で他端側の端面を形成する。パネル部材１１は例えばプラスチックなどの樹脂により一体的に単一部品として形成することができる。
【００２０】
下板部１１２には複数の係合部１１５が形成されている。本実施形態の場合、係合部１１５は下板部１１２から突出したフック形状の爪であり、換言すると、係合部１１５はパネル部材１１の下端面から下方へ突出している。係合部１１５はＬ字型をなしており、係合部１０３に挿入した後、パネル部材１１をパネル部材１０に対して左右方向（ここでは、端板部１１４→端板部１１３の方向）にスライドさせることにより、係合部１１５と係合部１０３とが係合状態となる。
【００２１】
図７は係合部１１５と係合部１０３との係合状態を示す垂直断面図および部分拡大図である。周縁部１０２においてパネル部材１０が、下板部１１２と係合部１１５の端部との間に挟まれている。下板部１１２は周縁部１０２に当接し、パネル部材１０に対して、パネル部材１１が垂直姿勢（パネル部材１０とパネル部材１１の角度が例えば、８５度〜９５度の範囲内。）で固定される。パネル部材１１の内側の側面が、壁部１０４に当接しており、パネル部材１１の側方から外力が入力された場合に、パネル部材１１が壁部１０４を介してパネル部材１０に支えられる。このため、コンテナ１が破損し難い構造となっている。
【００２２】
係合を解除させる場合は、パネル部材１１をパネル部材１０に対して逆方向にスライドさせ、係合部１０３から係合部１１５を抜き出す。
【００２３】
再び図３〜図６を参照する。側壁３を構成する短辺側のパネル部材１１は四個の係合部１１５を備えている。側壁４を構成する長辺側のパネル部材１１は五個の係合部１１５を備えている。本実施形態では、複数の係合部１１５をパネル部材１１の長手方向に沿って形成しているが、各パネル部材１１が少なくとも一つの係合部１１５を備えていればよい。
【００２４】
上板部１１１には複数の係合部１１６が形成されている。本実施形態の場合、係合部１１６は上板部１１１を貫通する方形の開口である。本実施形態の場合、係合部１１６は穴であるが、切欠き状の開口であってもよい。係合部１１６は、他のパネル部材１１の係合部１１５と係合および係合解除が可能となっている。換言すると、係合部１１５は、係合部１０３および係合部１１６の双方と係合および係合解除可能な係合形状を有している。また、係合部１０３は係合部１１５と係合および係合解除可能な係合形状を有しており、係合部１１６は係合部１１５と係合および係合解除可能な係合形状を有している。本実施形態の場合、係合部１１６はパネル部材１０の係合部１０３と同じ構成となっている。二つのパネル部材１１の一方の係合部１１６と他方の係合部１１５とを係合することで、二つのパネル部材同士を上下に連結することができる（後述する図１０）。
【００２５】
側壁３を構成する短辺側のパネル部材１１は四個の係合部１１６を備えている。側壁４を構成する長辺側のパネル部材１１は五個の係合部１１６を備えている。本実施形態では、複数の係合部１１６をパネル部材１１の長手方向に沿って形成しているが、各パネル部材１１が少なくとも一つの係合部１１６を備えていればよい。
【００２６】
端板部１１３には複数の係合部１１７が形成されている。本実施形態の場合、係合部１１７は端板部１１３から側方へ突出したフック形状の爪であり、換言すると、係合部１１７はパネル部材１１の左右方向で一端側の端面に形成されている。本実施形態の場合、側壁３を構成する短辺側のパネル部材１１および側壁４を構成する長辺側のパネル部材１１のいずれも、二個の係合部１１７を備えている。本実施形態では、複数の係合部１１７を上下方向に沿って形成しているが、各パネル部材１１が少なくとも一つの係合部１１７を備えていればよい。
【００２７】
端板部１１３には、また、位置決め部１１３’が形成されている。位置決め部１１３’は、本実施形態の場合、端板部１１３から側方へ突出した凸部であり、上下方向に延設されている。位置決め部１１３’は途中で分断されており、その分断個所に各係合部１１７が配設されている。
【００２８】
側板部１１０には複数の係合部１１８が形成されている。本実施形態の場合、係合部１１８は側板部１１０を貫通する方形の開口である。本実施形態の場合、係合部１１８は穴であるが、切欠き状の開口であってもよい。係合部１１８は、端板部１１４側に配設されており、別のパネル部材１１の係合部１１７と係合および係合解除が可能となっている。
【００２９】
図６は左右に隣接するパネル部材１１の係合直前の状態を示す。係合部１１７を係合部１１８に挿入すると、係合部１１７が僅かに弾性変形しながら係合部１１８を通過し、自然状態または自然状態に近い状態に復帰して係合部１１７の先端部が係合部１１８の周囲に係合する。これにより、左右に隣接するパネル部材１１同士が互いに交差するように固定され、コンテナ１の角部が形成される。係合を解除する場合は、係合部１１８から係合部１１７をやや強めに引き抜くようにする。
【００３０】
側板部１１０には、また、位置決め部１１０’が形成されている。位置決め部１１０’は位置決め部１１３’と係合して、二つのパネル部材１１の位置決めや連結の補助を行う。本実施形態の場合、位置決め部１１０’は、位置決め部１１３’に対応した形状の溝であり、上下方向に延設されている。位置決め部１１０’は途中で分断されており、その分断個所に各係合部１１８が配設されている。左右に隣接するパネル部材１１を図６の状態から係合する際、位置決め部１１０’に位置決め部１１３’を嵌め合せながら係合部１１７と係合部１１８とを係合する。これによりパネル部材１１同士の位置決めを容易に行えると共に、パネル部材１１同士の固定状態において、その連結強度を向上できる。
【００３１】
上板部１１１の左右方向両端部には、一段低くなった凹部（低部）１１１’が形成され、各凹部１１１’には係合部１１９が形成されている。本実施形態の場合、係合部１１９は上板部１１１を貫通する円形の開口である。本実施形態の場合、係合部１１９は穴であるが、切欠き状の開口であってもよい。
【００３２】
係合部１１９には係合部材１２が装着される。図８および図９を参照して説明する。図８はコンテナ１の隅部の説明図であり、図９は係合部材１２の斜視図である。
【００３３】
図８を参照して、コンテナ１の隅部において、左右に隣接するパネル部材１１同士は、同図に示すように互いに交差した姿勢（ここでは直交した姿勢であり、例えば、８５度〜９５度の範囲内。）で互いに固定されると共にパネル部材１０に固定される。
【００３４】
そして、一方のパネル部材１１の端板部１１３が他方のパネル部材１１の側板部１１０の端板部１１４側に当接し、一方のパネル部材１１の端板部１１３側の係合部１１９と他方のパネル部材１１の端板部１１４側の係合部１１９とが隣接する。また、パネル部材１１の端板部１１４側の凹部１１１’には係合部材１２と係合する係合部１２０が形成されている。本実施形態の場合、係合部１２０は凹部１１１’を貫通する方形の開口である。本実施形態の場合、係合部１２０は穴であるが、切欠き状の開口であってもよい。
【００３５】
図９を参照して、係合部材１２は、板状の本体部１２１と、係合部１２２〜１２４とを備える。係合部１２２〜１２４は本体部１２１の下面から下方へ突出するように形成されている。つまり、図９は係合部材１２の下側を示す斜視図となっている。係合部１２２、１２３は、コンテナ１の隅部において隣接する二つの係合部１１９にそれぞれ係合する。本実施形態の場合、係合部１２２、１２３は係合部１１９に嵌合する軸体である。係合部１２４はパネル部材１１の係合部１２０と係合する。本実施形態の場合、係合部１２４は係合部１２０に挿入されるフック形状の爪である。係合部材１２は例えばプラスチックなどの樹脂により一体的に単一部品として形成することができる。
【００３６】
図８の状態において、係合部材１２をコンテナ１の隅部の二か所の係合部１１９と係合部１２０に嵌め合せることで、左右に隣接するパネル部材１１間が係合部材１２を介して互いに交差する状態で固定され、連結力が補強される。係合部材１２が凹部１１１’に配置されることで、本体部１２１の上面は上板部１１１の残りの上面と略面一となり（図１）、外観を向上する。
【００３７】
以上の構成からなるコンテナ１は、保管時にはパネル部材１０および１１を分解して保管することができる。パネル部材１０および１１は板状であるので、積み重ねて保管することで保管スペースを削減することができる。
【００３８】
コンテナ１の組立ては、パネル部材１０上に、四枚のパネル部材１１を一枚ずつ順次固定することで行う。固定は、既に述べたとおり、パネル部材１１の係合部１１５を係合部１０３に挿入した後、パネル部材１１をパネル部材１０に対して左右方向にスライドすることで行うことができ、比較的簡易に行える。しかも、本実施形態の場合、係合時のスライド方向は、端板部１１４→端板部１１３の方向であり、係合部１１７を前進させる方向である。つまり、先にパネル部材１０に固定したパネル部材１１がある場合に、その係合部１１８に対して、これらから装着するパネル部材１１の係合部１１７を嵌め合せながらパネル部材１０に対する装着が可能である。四枚目のパネル部材１１の装着については、既にパネル部材１０に固定したパネル部材１１を、少し撓ませながらパネル部材１０や隣接するパネル部材１１に嵌め込むことで行う。その後、コンテナ１の四隅に係合部材１２を係合することで図１に示すパネル部材１１が上下に一層のコンテナ１が完成する。
【００３９】
容積を増加させる場合、図１０に示すようにパネル部材１１を上下に二層としたコンテナ１を組み立てることができる。その組立てに際しては、図１の状態から、二層目の四枚のパネル部材１１を、一層目の四枚のパネル部材１１に上下に連結すればよい。つまり、二層目の四枚の各パネル部材１１の係合部１１５を、一層目の四枚の各パネル部材の係合部１１６に係合する。また、二層目の隣接する各パネル部材１１の係合部１１７と係合部１１８とを係合する。その後、コンテナ１の四隅に係合部材１２を係合することで図１０に示すパネル部材１１が上下に二層のコンテナ１が完成する。
【００４０】
同様にして、三層以上のコンテナ１を組み立てることができる。係合部材１２は最上層にのみ設けてもよいし、全層に設けてもよい。
【００４１】
以上のとおり、本実施形態のコンテナ１では、パネル部材１１の上下の層数を変えることで、内部容積を変更できる。また、保管時にはコンパクトに分解できる。更に、係合部１１５が、係合部１０３だけでなく、係合部１１６にも係合および係合解除可能な構成としたので、最下層のパネル部材１１と上層のパネル部材１１とで部品を共通にすることができる。したがって、部品種が比較的少ないコンテナを提供できる。
【００４２】
＜他の実施形態＞
上記実施形態では、全長の異なる二種類のパネル部材１１としたが、コンテナ１を立方体形状とすることでパネル部材１１は一種類で足りる。例えば、パネル部材１０の平面視形状を正方形とし、四辺の長短が無い構成とすればよい。この構成の場合、パネル部材１０と、パネル部材１１とがそれぞれ一種類でコンテナ１を構成でき、部品種を更に削減できる。
【００４３】
次に、上記実施形態ではパネル部材１０を一種類としたが、複数種類のパネル部材１０の中から、いずれかを選択可能としてもよい。これにより、平面サイズの異なるコンテナを簡易に得ることができる。この場合、四辺のうちの少なくとも一辺の長さを複数種類のパネル部材１０において共通にしてもよい。これにより、パネル部材１１の種類を減らしつつ、様々大きさのコンテナを製造することができる。
【００４４】
次に、上記実施形態における各係合部の配置、構造は一例であり、様々な配置、構造を採用可能である。
【００４５】
例えば、上記実施形態では、係合部１１５を爪とし、係合部１０３および１１６を開口としたが、逆に、係合部１１５を開口とし、係合部１０３および１１６を爪としてもよい。同様に、係合部１１７を開口とし、係合部１１８を爪としてもよい。但し、本実施形態のように係合部１１５を爪とし、係合部１０３および１１６を開口とする方が、保管時にパネル部材１０を積み重ねる際、係合部１０３が邪魔にならない点で有利である。同様に、本実施形態のように係合部１１８を開口とし、係合部１１７を爪とする方が、保管時にパネル部材１１を積み重ねる際、係合部１１８が邪魔にならない点で有利である。
【００４６】
また、例えば、上記実施形態では、係合部を開口と爪で構成する例を例示したが、筒と筒に嵌る軸や、軸と軸に引っ掛けるフック、爪と爪等、様々な係合構造を採用可能である。
【符号の説明】
【００４７】
１  コンテナ、２  底壁、３  側壁、４  側壁、１０  パネル部材、１１  パネル部材、１０３  係合部、１１５  係合部、１１６  係合部
【図１】
2017119539.tif 000003
【図２】
2017119539.tif 000004
【図３】
2017119539.tif 000005
【図４】
2017119539.tif 000006
【図５】
2017119539.tif 000007
【図６】
2017119539.tif 000008
【図７】
2017119539.tif 000009
【図８】
2017119539.tif 000010
【図９】
2017119539.tif 000011
【図１０】
2017119539.tif 000012
【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
底壁と、複数の側壁と、を有するコンテナであって、
前記底壁を形成する第一パネル部材と、
前記複数の側壁を形成する複数の第二パネル部材と、を備え、
前記第一パネル部材は、複数の第一係合部を含み、
各第二パネル部材は、
前記複数の第一係合部の一つと係合および係合解除可能な少なくとも一つの第二係合部と、
他の前記第二パネル部材の前記第二係合部と係合および係合解除可能な少なくとも一つの第三係合部と、を含み、
前記複数の第一係合部と前記第二係合部との係合によって、前記第一パネル部材に各第二パネル部材が固定可能であり、
前記第二係合部と前記第三係合部との係合によって、前記第二パネル部材同士が上下に連結可能であり、
前記第一係合部は、前記第一パネル部材の上面に開口した開口であり、
前記第三係合部は、前記第二パネルの上端面に開口した開口であり、
前記第二係合部は、前記第一パネル部材の前記開口および他の前記第二パネル部材の前記開口と係合する、前記第二パネル部材の下端面から突出した係合部である、
ことを特徴とするコンテナ。
【請求項２】
請求項１に記載のコンテナであって、
前記第一パネル部材の前記上面は、
前記第一パネル部材に固定される前記第二パネル部材の下端面が当接する周縁部と、
前記周縁部の内周縁に形成され、前記第二パネル部材の内側の側面に当接する壁部と、を含む、
ことを特徴とするコンテナ。
【請求項３】
請求項２に記載のコンテナであって、
前記第一パネル部材の前記上面は、前記コンテナの内部空間の底面を形成する底面形成領域を更に含み、
前記周縁部は、前記底面形成領域を囲み、
前記壁部は、前記底面形成領域を囲むように前記周縁部と前記底面形成領域との境界に形成された無端の凸部である、
ことを特徴とするコンテナ。
【請求項４】
請求項１に記載のコンテナであって、
各第二パネル部材は、
少なくとも一つの第四係合部と、
少なくとも一つの第五係合部と、を含み、
前記第四係合部と前記第五係合部との係合によって、左右に隣接する前記第二パネル部材同士が互いに交差するように固定される、
ことを特徴とするコンテナ。
【請求項５】
請求項１に記載のコンテナであって、
左右に隣接する前記第二パネル部材と係合し、これらを互いに交差するように固定する係合部材を更に備える、
ことを特徴とするコンテナ。
【請求項６】
請求項５に記載のコンテナであって、
前記第二パネル部材は、前記係合部材が装着される、前記上端面から一段低くされた凹部を含む、
ことを特徴とするコンテナ。
【請求項７】
請求項４に記載のコンテナであって、
前記第四係合部は前記第二パネル部材の左右方向で一端側の端面に形成され、
前記第五係合部は前記第二パネル部材の左右方向で他端側の側面に形成される、
ことを特徴とするコンテナ。
【請求項８】
請求項７に記載のコンテナであって、
前記第二パネル部材は、
前記一端側の前記端面に形成された第一位置決め部と、
前記他端側の前記側面に形成され、前記第一位置決め部と係合する第二位置決め部と、を含む、
ことを特徴とするコンテナ。
【請求項９】
請求項１に記載のコンテナであって、
前記第二係合部は、前記第二パネル部材の前記下端面から突出したフック形状の爪であり、
前記第一係合部および前記第三係合部は、前記爪が挿入される開口である、
ことを特徴とするコンテナ。
【手続補正２】
【補正対象書類名】明細書
【補正対象項目名】０００６
【補正方法】変更
【補正の内容】
【０００６】
本発明によれば、
底壁と、複数の側壁と、を有するコンテナであって、
前記底壁を形成する第一パネル部材と、
前記複数の側壁を形成する複数の第二パネル部材と、を備え、
前記第一パネル部材は、複数の第一係合部を含み、
各第二パネル部材は、
前記複数の第一係合部の一つと係合および係合解除可能な少なくとも一つの第二係合部と、
他の前記第二パネル部材の前記第二係合部と係合および係合解除可能な少なくとも一つの第三係合部と、を含み、
前記複数の第一係合部と前記第二係合部との係合によって、前記第一パネル部材に各第二パネル部材が固定可能であり、
前記第二係合部と前記第三係合部との係合によって、前記第二パネル部材同士が上下に連結可能であり、
前記第一係合部は、前記第一パネル部材の上面に開口した開口であり、
前記第三係合部は、前記第二パネルの上端面に開口した開口であり、
前記第二係合部は、前記第一パネル部材の前記開口および他の前記第二パネル部材の前記開口と係合する、前記第二パネル部材の下端面から突出した係合部である、
ことを特徴とするコンテナが提供される。